(57)【要約】【課題】ワイヤーハーネスを包装シートによって容易に包むことができるようにすることを目的とする。【解決手段】ワイヤーハーネス２０に対して包装シート３０を取付けるためのワイヤーハーネスへの包装シート取付治具４０であって、全体として１つの筒を構成する複数の分割筒部５２と、前記複数の分割筒部５２を、筒を構成する状態と内部に包装シート３０及びワイヤーハーネス２０を配設可能なように開いた状態との間で、開閉可能に連結するヒンジ部５６とを備える。【選択図】図４
2015061403.tif 000002
【特許請求の範囲】
【請求項１】
ワイヤーハーネスに対して包装シートを取付けるためのワイヤーハーネスへの包装シート取付治具であって、
全体として１つの筒を構成する複数の分割筒部と、
前記複数の分割筒部を、筒を構成する状態と内部に包装シート及びワイヤーハーネスを配設可能なように開いた状態との間で、開閉可能に連結するヒンジ部と、
を備えるワイヤーハーネスへの包装シート取付治具。
【請求項２】
請求項１記載のワイヤーハーネスへの包装シート取付治具であって、
前記分割筒部を２つ備え、
前記ヒンジ部は、前記２つの分割筒部が開いた状態で、前記ヒンジ部とその両側の２つの分割筒部上に包装シートを広げて配設可能なように、前記２つの分割筒部を開閉可能に連結する、ワイヤーハーネスへの包装シート取付治具。
【請求項３】
請求項１記載のワイヤーハーネスへの包装シート取付治具であって、
前記分割筒部を３つ備え、
前記ヒンジ部は、前記３つの分割筒部のうちの１つの分割筒部の両側で、他の２つの分割筒部を開閉可能に連結する、ワイヤーハーネスへの包装シート取付治具。
【請求項４】
請求項１〜請求項３のいずれか１つに記載のワイヤーハーネスへの包装シート取付治具を用いたワイヤーハーネスの包装物の製造方法であって、
(a)前記複数の分割筒部を開いた状態で、その内部に包装シートを広げて配設する工程と、
(b)前記包装シート上にワイヤーハーネスの少なくとも一部を配設する工程と、
(c)前記包装シートが前記ワイヤーハーネスの少なくとも一部を包むように、前記複数の分割筒部を閉じる工程と、
を備えるワイヤーハーネスの包装物の製造方法。
【請求項５】
請求項４記載のワイヤーハーネスの包装物の製造方法であって、
前記工程(a)では、前記包装シートの一側部が、前記複数の分割筒部の一側部からはみ出るように配設されると共に、前記包装シートの他側部が、前記複数の分割筒部の他側部の内側に収るように配設され、
前記工程(c)では、前記複数の分割筒部の前記一側部を閉じた後、前記複数の分割筒部の前記他側部を閉じる、ワイヤーハーネスの包装物の製造方法。
【発明の詳細な説明】
【技術分野】
【０００１】
この発明は、ワイヤーハーネスに対して包装シートを取付けるための技術に関する。
【背景技術】
【０００２】
ワイヤーハーネスは、複数の電線が分岐しつつ結束されると共に、分岐線の端部にコネクタ等が接続された構成とされている。
【０００３】
上記のようなワイヤーハーネスを車両に組付ける際、組付場所によっては、ワイヤーハーネスをパネルに形成された貫通孔に貫通させる作業が必要となる。しかしながら、ワイヤーハーネスの分岐線の端部のコネクタが邪魔となり、貫通作業が困難になるという問題がある。
【０００４】
そこで、特許文献１は、ワイヤーハーネスを包装シートによって包装した状態で、ワイヤーハーネスの貫通作業を行う技術を開示している。
【先行技術文献】
【特許文献】
【０００５】
【特許文献１】特開平９−１０７６１４号公報
【発明の概要】
【発明が解決しようとする課題】
【０００６】
しかしながら、ワイヤーハーネスの途中では、不定形な状態で分岐線が分岐しているため、ワイヤーハーネスを包装シートによって安定した状態で包装することは難しい。
【０００７】
そこで、本発明は、ワイヤーハーネスを包装シートによって容易に包むことができるようにすることを目的とする。
【課題を解決するための手段】
【０００８】
上記課題を解決するため、第１の態様は、ワイヤーハーネスに対して包装シートを取付けるためのワイヤーハーネスへの包装シート取付治具であって、全体として１つの筒を構成する複数の分割筒部と、前記複数の分割筒部を、筒を構成する状態と内部に包装シート及びワイヤーハーネスを配設可能なように開いた状態との間で、開閉可能に連結するヒンジ部と、を備える。
【０００９】
第２の態様は、第１の態様に係るワイヤーハーネスへの包装シート取付治具であって、前記分割筒部を２つ備え、前記ヒンジ部は、前記２つの分割筒部が開いた状態で、前記ヒンジ部とその両側の２つの分割筒部上に包装シートを広げて配設可能なように、前記２つの分割筒部を開閉可能に連結するものである。
【００１０】
第３の態様は、第１の態様に係るワイヤーハーネスへの包装シート取付治具であって、前記分割筒部を３つ備え、前記ヒンジ部は、前記３つの分割筒部のうちの１つの分割筒部の両側で、他の２つの分割筒部を開閉可能に連結するものである。
【００１１】
第４の態様は、第１〜第３のいずれか１つの態様に係るワイヤーハーネスへの包装シート取付治具を用いたワイヤーハーネスの包装物の製造方法であって、(a)前記複数の分割筒部を開いた状態で、その内部に包装シートを広げて配設する工程と、(b)前記包装シート上にワイヤーハーネスの少なくとも一部を配設する工程と、(c)前記包装シートが前記ワイヤーハーネスの少なくとも一部を包むように、前記複数の分割筒部を閉じる工程と、を備える。
【００１２】
第５の態様は、第４の態様に係るワイヤーハーネスの包装物の製造方法であって、前記工程(a)では、前記包装シートの一側部が、前記複数の分割筒部の一側部からはみ出るように配設されると共に、前記包装シートの他側部が、前記複数の分割筒部の他側部の内側に収るように配設され、前記工程(c)では、前記複数の分割筒部の前記一側部を閉じた後、前記複数の分割筒部の前記他側部を閉じるようにしている。
【発明の効果】
【００１３】
第１の態様に係るワイヤーハーネスへの包装シート取付治具によると、複数の分割筒部を開いた状態で、その内部に包装シートを広げ、その上にワイヤーハーネスを配設した後、複数の分割筒部を閉じれば、包装シートがワイヤーハーネスを包む状態となる。このため、ワイヤーハーネスを包装シートによって容易に包むことができる。
【００１４】
第２の態様によると、２つの分割筒部を開いた状態で、前記ヒンジ部とその両側の２つの分割筒部上に包装シートを容易に広げて配設することができる。
【００１５】
第３の態様によると、中央の分割筒部上に包装シートを広げ、その上にワイヤーハーネスを配設し、その後、両側の分割筒部を閉じれば、ワイヤーハーネスを包装シートによって容易に包むことができる。
【００１６】
第４の態様によると、数の分割筒部を開いた状態で、その内部に包装シートを広げ、その上にワイヤーハーネスを配設した後、複数の分割筒部を閉じれば、包装シートがワイヤーハーネスを包む状態となる。このため、ワイヤーハーネスを包装シートによって容易に包むことができる。
【００１７】
第５の態様によると、前記複数の分割筒部の一側部を閉じた後、前記複数の分割筒部の他側部を閉じるため、分割筒部の一側部からはみ出る包装シートの一側部上に、分割筒部の他側部内に収る包装シートの他側部を容易に重ね合せることができる。これにより、包装シートによる包込み状態を維持し易くすることができる。
【図面の簡単な説明】
【００１８】
【図１】ワイヤーハーネスの一例を示す概略図である。
【図２】ワイヤーハーネスの包装物を示す概略図である。
【図３】包装シートを示す概略図である。
【図４】第１実施形態に係る包装シート取付治具を示す概略斜視図である。
【図５】包装シート取付治具を示す概略斜視図である。
【図６】包装シート取付工程を示す説明図である。
【図７】包装シート取付工程を示す説明図である。
【図８】包装シート取付工程を示す説明図である。
【図９】第２実施形態に係る包装シート取付治具を示す概略斜視図である。
【図１０】包装シート取付工程を示す説明図である。
【図１１】包装シート取付工程を示す説明図である。
【図１２】包装シート取付工程を示す説明図である。
【発明を実施するための形態】
【００１９】
｛第１実施形態｝
以下、第１実施形態に係るワイヤーハーネスへの包装シート取付治具及びワイヤーハーネスの包装物の製造方法について説明する。
【００２０】
図１は適用対象となるワイヤーハーネス２０の一例を示す概略図であり、図２はワイヤーハーネスの包装物１０を示す概略図であり、図３は包装シート３０を示す概略図である。
【００２１】
ワイヤーハーネス２０は、複数の電線が分岐しつつ結束されることにより構成されている。なお、各図では、複数の電線が束ねられた外形を示している。ここでは、ワイヤーハーネス２０は、幹線部分２２と、当該幹線部分２２から分岐する枝線部分２４とを備える。幹線部分２２の先端部及び枝線部分２４の先端部には、コネクタ２６等が接続されている。本ワイヤーハーネス２０が車両に組付けられた状態で、コネクタ２６が車両に搭載された各種電気部品に接続される。本ワイヤーハーネス２０は、車両に搭載された各種電気部品を電気的に接続する配線材として用いられる。
【００２２】
本ワイヤーハーネス２０の途中には、枝線部分２４が延出しているため、ワイヤーハーネス２０を保管、運搬等する際に、枝線部分２４及びその先端のコネクタ２６が他のワイヤーハーネス又は周辺部分に引っ掛かることがある。また、本ワイヤーハーネス２０を車両に組込む際に、ワイヤーハーネス２０をパネルに形成された貫通孔に通す必要がある場合には、枝線部分２４及びその先端のコネクタ２６が貫通孔の周縁部に引っ掛かってしまい、貫通作業が難しくなる。
【００２３】
そこで、図２に示すように、ワイヤーハーネス２０の少なくとも一部を、包装シート３０によって包み、前記幹線部分２２及びその先端部のコネクタ２６が外方に延出しないようにしている。
【００２４】
すなわち、ワイヤーハーネスの包装物１０は、ワイヤーハーネス２０の少なくとも一部が包装シート３０によって包まれた構成とされている。
【００２５】
包装シート３０としては、織布、不織布、樹脂シート、紙等、各種シート材を用いることができる。包装シート３０包装シート３０がワイヤーハーネス２０を包んだ状態で保持する保持部材としては、包装シート３０の重ね合せ部分を接合する面ファスナー、両面テープ、粘着剤、接着剤、ステープラー等を用いることができる。また、保持部材として、その他、ワイヤーハーネス２０を包込んだ包装シート３０の外周囲に貼付けられる粘着テープ、当該外周囲に巻回される結束バンド、紐等を用いることもできる。
【００２６】
保持部材としては、包装シート３０の側部を他の部分に重ね合せることで接合状態が維持される構成であることが好ましく、この点からは、保持部材として、面ファスナー、両面テープ、粘着剤等が用いられることが好ましい。
【００２７】
ここでは、図３に示すように、包装シート３０として、少なくとも一主面全体に細かいループ構造が形成されたシート（マジックパイルとも呼ばれる）を用い、その一側縁部にフック構造が形成されたフック部材３２を貼付けた構成としている。この場合、フック部材３２を包装シート３０の一主面の任意の位置に着脱自在に接合することができる。
【００２８】
このため、包装シート３０をワイヤーハーネス２０に巻付けるようにして、当該包装シート３０でワイヤーハーネス２０を包んだ状態で、フック部材３２を包装シート３０の前記一主面に押付ければ、容易に包込み状態を維持することができる。また、包装シート３０の一主面に対するフック部材３２の針付け位置は、任意に調整可能であるため、ワイヤーハーネス２０の包込み部分の外径が、その延在方向において、枝線部分２４の有無、コネクタ２６の有無等に起因して異なっていても、当該外径の違いに容易に対応することができる。
【００２９】
しかも、ワイヤーハーネス２０が車両に組付けられた状態では、包装シート３０は、取外される。フック部材３２は、包装シート３０の一主面に対して繰返し着脱できる構成であるため、取外された包装シート３０を繰返し再利用することができる。
【００３０】
図４及び図５は包装シート取付治具４０を示す概略斜視図である。図４は包装シート取付治具４０を開いた状態を示しており、図５は包装シート取付治具４０を閉じた状態を示している。
【００３１】
包装シート取付治具４０は、ワイヤーハーネス２０に対して包装シート３０を取付けるためのものであり、複数の分割筒部５２と、ヒンジ部５６とを備える。
【００３２】
複数の分割筒部５２は、全体として１つの筒を構成可能に構成されている。ここでは、包装シート取付治具４０は、２つの分割筒部５２を備える。
【００３３】
各分割筒部５２は、樹脂又は金属等によって形成され、半円筒状に形成されている。そして、２つの分割筒部５２の両側縁部同士を突合わせることによって、１つの円筒を形成できるようになっている。
【００３４】
なお、複数の分割筒部の組合わせによって構成される筒は、必ずしも円筒でなくてもよく、楕円筒形状、多角形筒形状等であってもよい。
【００３５】
ヒンジ部５６は、複数の分割筒部５２を、筒を構成する状態と、内部に包装シート３０及びワイヤーハーネス２０を配設可能なように開いた状態との間で、開閉可能に連結する。
【００３６】
ここでは、ヒンジ部５６は、２つの分割筒部５２のそれぞれの１つの側部同士を連結している。ヒンジ部５６の構成としては、２つの分割筒部５２の間の部分を変形可能な薄肉部で連結する構成、２つの分割筒部５２のそれぞれの側部に形成された管部分にピン部材を差込んで２つの分割筒部５２を開閉自在に連結する構成等、周知構成を含む種々構成を採用することができる。
【００３７】
そして、このヒンジ部５６によって、２つの分割筒部５２が、それぞれの両側部を結ぶ方向を同一平面上に配設した開状態（図４参照）と、円筒をなすように閉じた閉状態（図５参照）との間で開閉可能に連結されている。
【００３８】
上記開状態では、２つの分割筒部５２がヒンジ部５６を中心として大きく開いているため、そのヒンジ部５６とは反対側の側部間を通って、ヒンジ部５６とその両側の２つの分割筒部５２の内周面上に、包装シート３０を広げて配設することができる（図４参照）。
【００３９】
また、上記開状態では、２つの分割筒部５２が円筒をなすように閉じられるため、２つの分割筒部５２で囲まれる空間内に、ワイヤーハーネス２０を収容し、かつ、包装シート３０がワイヤーハーネス２０の周りを包むように、包装シート３０の外周を押え付けることができる（図５参照）。
【００４０】
なお、本ワイヤーハーネスの包装物１０がパネルに形成された貫通孔に貫通される場合を想定すると、当該貫通孔への貫通作業を容易にするため、複数の分割筒部５２によって構成される筒の内径寸法は、前記貫通孔の内径寸法以下に設定されることが好ましい。
【００４１】
また、ここでは、ヒンジ部５６は、支柱５８によって支持されており、２つの分割筒部５２が上方に開いた状態で支持されるようになっている。もっとも、本ヒンジ部５６が支柱５８等によって一定位置及び一定姿勢で支持されることは必須ではない。例えば、本包装シート取付治具４０が作業者の手によって支持された状態で、包装シート３０の取付作業が行われてもよい。
【００４２】
上記包装シート取付治具４０を用いて、ワイヤーハーネスの包装物１０を製造する方法について説明する。
【００４３】
まず、図６に示すように、２つの分割筒部５２を開いた状態で、その内部に包装シート３０を広げて配設する。より具体的には、包装シート３０を、ヒンジ部５６及びその両側の分割筒部５２の内周面の上に広げて配設する。
【００４４】
包装シート３０の幅寸法は、当該包装シート３０の両側部を重ね合せつつ、当該包装シート３０によってワイヤーハーネス２０を包むことができる程度の寸法であることが好ましく、ここでは、２つの分割筒部５２によって構成される筒の内周寸法よりも大きく設定されている。
【００４５】
２つの分割筒部５２上に包装シート３０を配設する際には、当該包装シート３０を２つの分割筒部５２のいずれか一方に偏らせて配設することが好ましい。より具体的には、包装シート３０が、２つの分割筒部５２の内周面に沿って配設された状態で、包装シート３０の一側部が複数の分割筒部５２の連結構造体の一側部からはみ出るように配設されると共に（図６において、２点鎖線で示す包装シート３０の左側部参照）、包装シート３０の他側部が、複数の分割筒部５２の連結構造体の他側部の内側に収るように配設されることが好ましい（図６において、２点鎖線で示す包装シート３０の右側部参照）。
【００４６】
なお、分割筒部５２上に包装シート３０が広げられた状態で、包装シート３０のうち分割筒部５２の内周面を向く面（外向き面）にはループ構造が形成され、また、包装シート３０の他側部の内面には、フック部材３２が貼付けられている。
【００４７】
この後、包装シート３０上にワイヤーハーネス２０の少なくとも一部を配設する。ここでは、ヒンジ部５６の上方位置で、包装シート３０上にワイヤーハーネス２０の少なくとも一部を配設する。
【００４８】
そして、図７及び図８に示すように、包装シート３０がワイヤーハーネス２０の少なくとも一部を包むように、複数の分割筒部５２を閉じる。
【００４９】
より具体的には、図７に示すように、２つの分割筒部５２の連結構造体において一側部にある分割筒部（図７において左側のもの）を閉じる。すると、ワイヤーハーネス２０の枝線部分２４が分割筒部５２内に収るように、幹線部分２２に向けて押込まれる。また、包装シート３０のうち、前記一側部にある分割筒部５２の側部からはみ出る一側部が、ワイヤーハーネス２０上に被さるようになる。
【００５０】
この後、２つの分割筒部５２の連結構造体において他側部にある分割筒部（図８において右側のもの）を閉じる。すると、ワイヤーハーネス２０の枝線部分２４が分割筒部５２内に収るように、幹線部分２２に向けて押込まれる。また、包装シート３０のうち、前記他側部にある分割筒部５２の側部内面に配設された他側部が、包装シート３０のうちワイヤーハーネス２０に事前に被さっていた一側部上に重ね合される。そして、他側部にある分割筒部５２によって、包装シート３０の他側部のフック部材３２が包装シート３０の一側部の外向き面に押付けられる。これにより、包装シート３０がワイヤーハーネス２０を包んだ状態で、包装シート３０の一側部と他側部とがフック部材３２を介して接合される。
【００５１】
なお、枝線部分２４の有無、コネクタ２６の有無等に応じて、ワイヤーハーネス２０が部分的に細くなっている場合等には、包装シート３０のフック部材３２が部分的に包装シート３０の外向き面にうまく接合されていない場合が生じ得る。そのような場合には、２つの分割筒部５２を開いた後、フック部材３２を部分的に包装シート３０に押付けて、フック部材３２を包装シート３０に接合するようにしてもよい。
【００５２】
なお、包装シート３０の外周に結束バンド等を巻付ける場合には、予め結束バンドを分割筒部５２の内周面に沿って配設しておくとよい。また、包装シート３０を、結束バンド、ステープラー等で接合する場合には、分割筒部５２を閉じた後、開いて、結束バンドのバンド通し作業、ステーブラー等よる接合作業を行ってもよい。
【００５３】
このようにして、ワイヤーハーネスの包装物１０が製造される。
【００５４】
以上のように構成された包装シート取付治具４０及びワイヤーハーネスの包装物１０の製造方法によると、複数の分割筒部５２を開いた状態で、その内部に包装シート３０を広げて配設し、その上にワイヤーハーネスを配設した後、複数の分割筒部５２を閉じれば、ワイヤーハーネス２０が複数の分割筒部５２によって構成される筒内に収る形態に変形した状態で、包装シート３０が当該ワイヤーハーネス２０を包む状態となる。このため、ワイヤーハーネス２０を包装シート３０によって容易に包むことができる。また、包装物１０の外径は、複数の分割筒部５２の内径によって規定されるため、包装物１０の外径の安定化及び品質の安定化を図ることもできる。
【００５５】
特に、包装シート取付治具４０は、２つの分割筒部５２を備えているため、当該２つの分割筒部５２を開いた状態で、ヒンジ部５６をその両側の２つの分割筒部５２の上に包装シート３０を容易に広げて配設することができる。また、包装シート取付治具４０の構成も簡易なものとすることができる。
【００５６】
また、包装シート３０の一側部が、複数の分割筒部５２の一側部からはみ出るように配設されると共に、包装シート３０の他側部が、複数の分割筒部５２の他側部の内側に収るように配設され、複数の分割筒部５２の前記一側部のものを閉じた後、複数の分割筒部５２の他側部のものを閉じるため、分割筒部５２の一側部からはみ出る包装シート３０の一側部上に、分割筒部５２の他側部内に収る包装シート３０の他側部を容易に重ね合せることができる。これにより、フック部材３２を包装シート３０に容易に接合させる等、包装シート３０による包込み状態を維持し易くすることができる。
【００５７】
｛第２実施形態｝
第２実施形態に係るワイヤーハーネスへの包装シート取付治具及びワイヤーハーネスの包装物の製造方法について説明する。なお、本実施の形態の説明において、第１実施形態で説明したものと同様構成要素については同一符号を付してその説明を省略する。
【００５８】
図９は包装シート取付治具１４０を示す概略斜視図である。図９は包装シート取付治具１４０を開いた状態を示している。
【００５９】
包装シート取付治具１４０は、ワイヤーハーネス２０に対して包装シート３０を取付けるためのものであり、複数の分割筒部１５２、１５３と、ヒンジ部１５６とを備える。
【００６０】
複数の分割筒部１５２、１５３は、全体として１つの筒を構成可能に構成されている。ここでは、包装シート取付治具１４０は、３つの分割筒部１５２、１５３を備える。
【００６１】
３つの分割筒部１５２、１５３は、樹脂又は金属等によって形成されており、そのうちの１つの分割筒部１５２は半円筒状に形成され、２つの分割筒部１５３は、１／４円筒状（横断面が１／４円弧状を示す形状）に形成されている。１つの分割筒部１５２の両側部に、２つの分割筒部１５３がヒンジ部１５６を介して開閉可能に連結されており、２つの分割筒部１５３の両側縁部同士を突合わせることによって、１つの円筒を形成できるようになっている。
【００６２】
なお、３つの分割筒部は、上記形状である必要はない。例えば、３つの分割筒部が１／３円筒状（横断面が１／３円弧状を示す形状）等であってもよい。また、複数の分割筒部の組合わせによって構成される筒は、必ずしも円筒でなくてもよく、楕円筒形状、多角形筒形状等であってもよい。
【００６３】
ヒンジ部１５６は、分割筒部１５２の両側と２つの分割筒部１５３とのそれぞれの間に設けられており、複数の分割筒部１５２、１５３を、筒を構成する状態と、内部に包装シート３０及びワイヤーハーネス２０を配設可能なように開いた状態との間で、開閉可能に連結する。ヒンジ部１５６としては、上記ヒンジ部５６と同様構成のものを採用できる。
【００６４】
そして、このヒンジ部１５６によって、３つの分割筒部１５２、１５３が、それぞれの両側部を結ぶ方向を同一平面上に配設した開状態（図９、図１０参照）と、円筒をなすように閉じた閉状態（図１２参照）との間で開閉可能に連結されている。
【００６５】
上記開状態では、両側の２つの分割筒部１５３がヒンジ部１５６を中心として大きく開いているため、両側の分割筒部１５３のうちヒンジ部１５６とは反対側の側部間を通って、中央の分割筒部１５２と、両側の分割筒部１５３とのそれぞれの内周面上に、包装シート３０を広げて配設することができる（図１０参照）。
【００６６】
また、上記開状態では、中央の分割筒部１５２に対して両側の分割筒部１５３が円筒をなすように閉じられるため、その３つの分割筒部１５２、１５３で囲まれる空間内に、ワイヤーハーネス２０を収容し、かつ、包装シート３０がワイヤーハーネス２０の周りを包むように、包装シート３０の外周を押え付けることができる（図１２参照）。
【００６７】
なお、上記したように、複数の分割筒部１５２、１５３によって構成される筒の内径寸法は、前記貫通孔の内径寸法以下に設定されることが好ましい。
【００６８】
また、ここでは、中央の分割筒部１５２は、支柱１５８によって支持されており、その両側で２つの分割筒部１５３が開閉可能に連結されている。このため、２つの分割筒部１５３の開閉作業中においても、中央の分割筒部１５２は一定位置及び一定姿勢に保たれる。もっとも、本分割筒部１５２が支柱１５８等によって一定位置及び一定姿勢で支持されることは必須ではない。例えば、本包装シート取付治具１４０が作業者の手によって支持された状態で、包装シート３０の取付作業が行われてもよい。
【００６９】
上記包装シート取付治具１４０を用いて、ワイヤーハーネスの包装物１０を製造する方法について説明する。
【００７０】
まず、図１０に示すように、両側の２つの分割筒部１５３を開いた状態で、その内部に包装シート３０を広げて配設する。より具体的には、包装シート３０を、中央の分割筒部１５２の内周面及び両側の分割筒部１５３の内周面の上に広げて配設する。
【００７１】
包装シート３０の幅寸法については、上記第１実施形態で述べたように、当該包装シート３０の両側部を重ね合せつつ、当該包装シート３０によってワイヤーハーネス２０を包むことができる程度の寸法であることが好ましく、ここでは、３つの分割筒部１５２、１５３によって構成される筒の内周寸法よりも大きく設定されている。
【００７２】
３つの分割筒部１５２、１５３上に包装シート３０を配設する際には、当該包装シート３０を両側の分割筒部１５３のいずれか一方に偏らせて配設することが好ましい。より具体的には、包装シート３０が、３つの分割筒部１５２、１５３の内周面に沿って配設された状態で、包装シート３０の一側部が複数の分割筒部１５２、１５３の連結構造体の一側部からはみ出るように配設されると共に（図１０において、包装シート３０の左側部参照）、包装シート３０の他側部が、複数の分割筒部１５２、１５３の連結構造体の他側部の内側に収るように配設されることが好ましい（図１０において、包装シート３０の右側部参照）。
【００７３】
なお、分割筒部１５２、１５３上に包装シート３０が広げられた状態で、包装シート３０のうち分割筒部１５２、１５３の内周面を向く面（外向き面）にはループ構造が形成され、また、包装シート３０の他側部の内面には、フック部材３２が貼付けられている。
【００７４】
この後、包装シート３０上にワイヤーハーネス２０の少なくとも一部を配設する。ここでは、中央の分割筒部１５２の上方位置で、包装シート３０上にワイヤーハーネス２０の少なくとも一部を配設する。
【００７５】
そして、図１１及び図１２に示すように、包装シート３０がワイヤーハーネス２０の少なくとも一部を包むように、複数の分割筒部１５２、１５３を閉じる。
【００７６】
より具体的には、図１１に示すように、３つの分割筒部１５２、１５３の連結構造体において一側部にある分割筒部（図１１において左側のもの）を閉じる。すると、ワイヤーハーネス２０の枝線部分２４が分割筒部１５３内に収るように、幹線部分２２に向けて押込まれる。また、包装シート３０のうち、前記一側部にある分割筒部１５３の側部からはみ出る一側部が、ワイヤーハーネス２０上に被さるようになる。
【００７７】
この後、３つの分割筒部１５２、１５３の連結構造体において他側部にある分割筒部（図１２において右側のもの）を閉じる。すると、ワイヤーハーネス２０の枝線部分２４が分割筒部１５３内に収るように、幹線部分２２に向けて押込まれる。また、包装シート３０のうち、前記他側部にある分割筒部１５３の側部内面に配設された他側部が、包装シート３０のうちワイヤーハーネス２０に事前に被さっていた一側部上に重ね合される。そして、他側部にある分割筒部１５３によって、包装シート３０の他側部のフック部材３２が包装シート３０の一側部の外向き面に押付けられる。これにより、包装シート３０がワイヤーハーネス２０を包んだ状態で、包装シート３０の一側部と他側部とがフック部材３２を介して接合される。
【００７８】
なお、第１実施形態と同様に、分割筒部１５３を開いた後、フック部材３２を部分的に包装シート３０に押付けて、フック部材３２を包装シート３０に接合するようにしてもよい。
【００７９】
このようにして、ワイヤーハーネスの包装物１０が製造される。
【００８０】
この第２実施形態によると、上記第１実施形態において２つの分割筒部５２を備えることによる作用効果を除いて、上記第１実施形態と同様の作用効果を得ることができる。
【００８１】
加えて、中央の分割筒部１５２に対して左右両側の分割筒部１５３、１５３を開閉する構成としているため、中央の分割筒部１５２及びその両側の分割筒部１５３上に包装シート３０を広げて配設し、その上にワイヤーハーネス２０を配設した状態で、ワイヤーハーネス２０を中央の分割筒部１５２上で安定して支持することができる。このため、両側の分割筒部１５３を閉じる際に、枝線部分２４を内側に押込む作業等を容易に実施することができ、ワイヤーハーネス２０の包装物１０をより容易に製造することができる。
【００８２】
｛変形例｝
なお、上記実施形態に拘らず、包装シート取付治具は、４つ以上の分割筒部が全体として１つの筒を構成するようにヒンジ部によって開閉可能に連結された構成であってもよい。
【００８３】
以上のようにこの発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【００８４】
１０  ワイヤーハーネスの包装物
２０  ワイヤーハーネス
３０  包装シート
４０、１４０  包装シート取付治具
５２、１５２、１５３  分割筒部
５６、１５６  ヒンジ部
【図１】
2015061403.tif 000003
【図２】
2015061403.tif 000004
【図３】
2015061403.tif 000005
【図４】
2015061403.tif 000006
【図５】
2015061403.tif 000007
【図６】
2015061403.tif 000008
【図７】
2015061403.tif 000009
【図８】
2015061403.tif 000010
【図９】
2015061403.tif 000011
【図１０】
2015061403.tif 000012
【図１１】
2015061403.tif 000013
【図１２】
2015061403.tif 000014